(57)【特許請求の範囲】
【請求項１】
ユーザによる操作入力として、複数の記録フォーマットのうちの少なくとも１つの記録フォーマットにより管理される複数のコンテンツに関する属性を指定する指定操作が受け付けられた場合には、前記複数のコンテンツ間における優先順位を前記指定された属性に基づいて前記複数のコンテンツ毎に設定する設定部と、
前記操作入力として、前記指定操作が受け付けられて前記優先順位が変更された場合には、前記複数の記録フォーマットのうちの特定記録フォーマットにより前記優先順位の高いコンテンツが管理されるように前記優先順位の高いコンテンツの管理対象となる前記記録フォーマットを変更する制御を行う制御部と
を具備する情報処理装置。
【請求項２】
前記制御部は、前記優先順位の高いコンテンツの管理対象となる前記記録フォーマットを前記特定記録フォーマットに変更する場合に前記特定記録フォーマットにより管理されているコンテンツの数がその上限数に達しているときには前記特定記録フォーマットにより管理されているコンテンツのうち前記優先順位の低いコンテンツの管理対象となる前記記録フォーマットを前記特定記録フォーマットから他の記録フォーマットに変更する制御を行う請求項１記載の情報処理装置。
【請求項３】
前記制御部は、前記特定記録フォーマットにより管理されているコンテンツの数がその上限数に達するまで、前記優先順位が高いコンテンツの管理対象となる前記記録フォーマットを他の記録フォーマットから前記特定記録フォーマットに変更する制御を行う請求項１記載の情報処理装置。
【請求項４】
前記制御部は、前記指定操作が受け付けられて前記優先順位が変更された場合において、前記特定記録フォーマットにより前記優先順位の高いコンテンツが管理されていない場合には前記優先順位の高いコンテンツの管理対象となる前記記録フォーマットを他の記録フォーマットから前記特定記録フォーマットに変更し、前記特定記録フォーマットにより前記優先順位の高いコンテンツが管理されている場合には前記優先順位の高いコンテンツの管理対象となる前記記録フォーマットを変更しないように制御を行う請求項１記載の情報処理装置。
【請求項５】
前記制御部は、前記指定操作が受け付けられて前記優先順位が変更された場合には、前記優先順位の高いコンテンツが前記特定記録フォーマットおよび他の記録フォーマットにより共有して管理されるように前記優先順位の高いコンテンツの管理対象となる前記記録フォーマットを変更する制御を行う請求項１記載の情報処理装置。
【請求項６】
前記複数の記録フォーマットは、管理対象となるコンテンツの上限数が互いに異なる記録フォーマットである請求項１記載の情報処理装置。
【請求項７】
前記特定記録フォーマットは、前記情報処理装置以外の他の装置を用いた再生に関する互換性が高い記録フォーマットである請求項１記載の情報処理装置。
【請求項８】
前記特定記録フォーマットは、他の記録フォーマットよりも管理対象となるコンテンツの数が少ない記録フォーマットである請求項１記載の情報処理装置。
【請求項９】
前記指定操作を受け付ける操作受付部をさらに具備する請求項１記載の情報処理装置。
【請求項１０】
ユーザによる操作入力として、複数の記録フォーマットのうちの少なくとも１つの記録フォーマットにより管理される複数のコンテンツに関する属性を指定する指定操作が受け付けられた場合には、前記複数のコンテンツ間における優先順位を前記指定された属性に基づいて前記複数のコンテンツ毎に設定する設定手順と、
前記操作入力として、前記指定操作が受け付けられて前記優先順位が変更された場合には、前記複数の記録フォーマットのうちの特定記録フォーマットにより前記優先順位の高いコンテンツが管理されるように前記優先順位の高いコンテンツの管理対象となる前記記録フォーマットを変更する制御を行う制御手順と
を具備する情報処理方法。
【請求項１１】
ユーザによる操作入力として、複数の記録フォーマットのうちの少なくとも１つの記録フォーマットにより管理される複数のコンテンツに関する属性を指定する指定操作が受け付けられた場合には、前記複数のコンテンツ間における優先順位を前記指定された属性に基づいて前記複数のコンテンツ毎に設定する設定手順と、
前記操作入力として、前記指定操作が受け付けられて前記優先順位が変更された場合には、前記複数の記録フォーマットのうちの特定記録フォーマットにより前記優先順位の高いコンテンツが管理されるように前記優先順位の高いコンテンツの管理対象となる前記記録フォーマットを変更する制御を行う制御手順と
をコンピュータに実行させるプログラム。
【発明の詳細な説明】
【技術分野】
【０００１】
本発明は、情報処理装置に関し、特に、コンテンツを管理する情報処理装置および情報処理方法ならびに当該方法をコンピュータに実行させるプログラムに関する。
【背景技術】
【０００２】
近年、人物や動物等の被写体を撮像して画像データを生成し、この画像データを画像コンテンツとして記録するデジタルスチルカメラやデジタルビデオカメラ（例えば、カメラ一体型レコーダ）等の撮像装置が普及している。また、このように記録された画像コンテンツについて、ＡＶＣＨＤ方式等のコンテンツ管理フォーマット（記録フォーマット）により管理する情報処理装置が提案されている。
【０００３】
これらのコンテンツ管理フォーマットは、管理することができるコンテンツの数に上限が設けられていることが多い。例えば、ＡＶＣＨＤ方式等のコンテンツ管理フォーマットでは、ストリームの管理数の上限が４０００に設定されている。また、コンテンツ管理フォーマットは、メディアの初期化時に１つのコンテンツ管理フォーマットに決定されることが多い。このため、メディアの初期化時に選択されたコンテンツ管理フォーマットにより管理することができるコンテンツ数の上限に達した場合には、その後に新たなコンテンツを登録することができないという問題があった。
【０００４】
そこで、２種類以上のコンテンツ管理フォーマットによりコンテンツを管理することが可能な情報処理装置が提案されている。例えば、１つのコンテンツ管理フォーマットにより画像コンテンツを管理している場合において、画像コンテンツの数がその上限値に達した場合には、他のコンテンツ管理フォーマットに切り替える記録装置が提案されている（例えば、特許文献１参照。）。この記録装置では、例えば、１つのコンテンツ管理フォーマットにより管理されている画像コンテンツの数がその上限値に達した場合には、これ以降に追加される画像コンテンツを他のコンテンツ管理フォーマットにより管理する。
【先行技術文献】
【特許文献】
【０００５】
【特許文献１】特開２００７−２９５０７０号公報（図７）
【発明の概要】
【発明が解決しようとする課題】
【０００６】
上述の従来技術では、画像コンテンツの数がコンテンツ管理フォーマットの上限値に達した場合には、他のコンテンツ管理フォーマットに切り替えてこのコンテンツ管理フォーマットにより画像コンテンツを管理することができる。
【０００７】
ここで、例えば、２種類以上のコンテンツ管理フォーマットのうち、一方のコンテンツ管理フォーマットの互換性が高く、他方のコンテンツ管理フォーマットの互換性が低い場合を想定する。この場合には、ユーザ好みのコンテンツについては、互換性が高いコンテンツ管理フォーマットにより管理することが好ましい。しかしながら、上述の従来技術では、互換性が高いコンテンツ管理フォーマットの上限値に画像コンテンツの数が達した場合には、他のコンテンツ管理フォーマットにより画像コンテンツが管理される。このため、例えば、ユーザ好みのコンテンツが、互換性が低いコンテンツ管理フォーマットにより管理されることも想定される。この場合には、例えば、ユーザ好みのコンテンツについて他の再生機器による再生を行うことができないおそれがある。
【０００８】
本発明はこのような状況に鑑みてなされたものであり、複数の管理方式によりコンテンツ管理を行う場合にユーザ好みのコンテンツを適切に管理することを目的とする。
【課題を解決するための手段】
【０００９】
本発明は、上記課題を解決するためになされたものであり、その第１の側面は、ユーザによる操作入力として、複数の記録フォーマットのうちの少なくとも１つの記録フォーマットにより管理される複数のコンテンツに関する属性を指定する指定操作が受け付けられた場合には、上記複数のコンテンツ間における優先順位を上記指定された属性に基づいて上記複数のコンテンツ毎に設定する設定部と、上記操作入力として、上記指定操作が受け付けられて上記優先順位が変更された場合には、上記複数の記録フォーマットのうちの特定記録フォーマットにより上記優先順位の高いコンテンツが管理されるように上記優先順位の高いコンテンツの管理対象となる上記記録フォーマットを変更する制御を行う制御部とを具備する情報処理装置および情報処理方法ならびに当該方法をコンピュータに実行させるプログラムである。これにより、複数のコンテンツ間における優先順位を、指定操作により指定された属性に基づいて複数のコンテンツ毎に設定し、その指定操作が受け付けられて優先順位が変更された場合には、特定記録フォーマットにより優先順位の高いコンテンツが管理されるように、優先順位の高いコンテンツの管理対象となる記録フォーマットを変更するという作用をもたらす。
【００１０】
また、この第１の側面において、上記制御部は、上記優先順位の高いコンテンツの管理対象となる上記記録フォーマットを上記特定記録フォーマットに変更する場合に上記特定記録フォーマットにより管理されているコンテンツの数がその上限数に達しているときには上記特定記録フォーマットにより管理されているコンテンツのうち上記優先順位の低いコンテンツの管理対象となる上記記録フォーマットを上記特定記録フォーマットから他の記録フォーマットに変更する制御を行うようにしてもよい。これにより、優先順位の高いコンテンツの管理対象となる記録フォーマットを特定記録フォーマットに変更する場合に、特定記録フォーマットにより管理されているコンテンツの数がその上限数に達しているときには、特定記録フォーマットにより管理されているコンテンツのうち、優先順位の低いコンテンツの管理対象となる記録フォーマットを、特定記録フォーマットから他の記録フォーマットに変更するという作用をもたらす。
【００１２】
また、この第１の側面において、上記制御部は、上記特定記録フォーマットにより管理されているコンテンツの数がその上限数に達するまで、上記優先順位が高いコンテンツの管理対象となる上記記録フォーマットを他の記録フォーマットから上記特定記録フォーマットに変更する制御を行うようにしてもよい。これにより、特定記録フォーマットにより管理されているコンテンツの数がその上限数に達するまで、優先順位が高いコンテンツの管理対象となる記録フォーマットを、他の記録フォーマットから特定記録フォーマットに変更するという作用をもたらす。
【００１６】
また、この第１の側面において、上記制御部は、上記指定操作が受け付けられて上記優先順位が変更された場合において、上記特定記録フォーマットにより上記優先順位の高いコンテンツが管理されていない場合には上記優先順位の高いコンテンツの管理対象となる上記記録フォーマットを他の記録フォーマットから上記特定記録フォーマットに変更し、上記特定記録フォーマットにより上記優先順位の高いコンテンツが管理されている場合には上記優先順位の高いコンテンツの管理対象となる上記記録フォーマットを変更しないように制御を行うようにしてもよい。これにより、指定操作が受け付けられて優先順位が変更された場合において、特定記録フォーマットにより優先順位の高いコンテンツが管理されていない場合には、優先順位の高いコンテンツの管理対象となる記録フォーマットを他の記録フォーマットから特定記録フォーマットに変更し、一方、特定記録フォーマットにより優先順位の高いコンテンツが管理されている場合には、優先順位の高いコンテンツの管理対象となる記録フォーマットを変更しないという作用をもたらす。
【００１７】
また、この第１の側面において、上記制御部は、上記指定操作が受け付けられて上記優先順位が変更された場合には、上記優先順位の高いコンテンツが上記特定記録フォーマットおよび他の記録フォーマットにより共有して管理されるように上記優先順位の高いコンテンツの管理対象となる上記記録フォーマットを変更する制御を行うようにしてもよい。これにより、指定操作が受け付けられて優先順位が変更された場合には、優先順位の高いコンテンツが特定記録フォーマットおよび他の記録フォーマットにより共有して管理されるように、優先順位の高いコンテンツの管理対象となる記録フォーマットを変更するという作用をもたらす。
【００１８】
また、この第１の側面において、上記複数の記録フォーマットを、管理対象となるコンテンツの上限数が互いに異なる記録フォーマットとするようにしてもよい。これにより、管理対象となるコンテンツの上限数が互いに異なる複数の記録フォーマットにより、複数のコンテンツを管理するという作用をもたらす。
【００１９】
また、この第１の側面において、上記特定記録フォーマットを、上記情報処理装置以外の他の装置を用いた再生に関する互換性が高い記録フォーマットとするようにしてもよい。これにより、指定操作が受け付けられて優先順位が変更された場合には、情報処理装置以外の他の装置を用いた再生に関する互換性が高い記録フォーマット（特定記録フォーマット）により優先順位の高いコンテンツが管理されるように、優先順位の高いコンテンツの管理対象となる記録フォーマットを変更するという作用をもたらす。
【００２０】
また、この第１の側面において、上記特定記録フォーマットを、他の記録フォーマットよりも管理対象となるコンテンツの数が少ない記録フォーマットとするようにしてもよい。これにより、指定操作が受け付けられて優先順位が変更された場合には、他の記録フォーマットよりも管理対象となるコンテンツの数が少ない記録フォーマット（特定記録フォーマット）により優先順位の高いコンテンツが管理されるように、優先順位の高いコンテンツの管理対象となる記録フォーマットを変更するという作用をもたらす。
また、この第１の側面において、上記指定操作を受け付ける操作受付部をさらに具備するようにしてもよい。これにより、指定操作を操作受付部により受け付けるという作用をもたらす。
【発明の効果】
【００２１】
本発明によれば、複数の管理方式によりコンテンツ管理を行う場合にユーザ好みのコンテンツを適切に管理することができるという優れた効果を奏し得る。
【図面の簡単な説明】
【００２２】
【図１】本発明の第１の実施の形態における撮像装置１００の機能構成例を示すブロック図である。
【図２】本発明の第１の実施の形態における記録媒体２００に記憶されている画像コンテンツのファイル構成の一例を示す図である。
【図３】本発明の第１の実施の形態における記録媒体２００に記憶されている画像コンテンツを管理するためのコンテンツ管理フォーマットの管理方式と、リンク情報を記録したリンクファイルとを概略的に示す図である。
【図４】本発明の第１の実施の形態における優先コンテンツ設定部１６０による優先コンテンツの設定例およびその設定内容例を示す図である。
【図５】本発明の第１の実施の形態における優先コンテンツ設定部１６０による優先コンテンツの設定例およびその設定内容例を示す図である。
【図６】本発明の第１の実施の形態における優先コンテンツ設定部１６０による優先コンテンツの設定時に表示部１８０に表示される設定画面の表示遷移例を示す図である。
【図７】本発明の第１の実施の形態における優先コンテンツ設定部１６０による優先コンテンツの設定内容例を示す図である。
【図８】本発明の第１の実施の形態における記録制御部１５０によりコンテンツの管理方式を変更する場合における流れを模式的に示す図である。
【図９】本発明の第１の実施の形態における記録制御部１５０によりコンテンツの管理方式を変更する場合における流れを模式的に示す図である。
【図１０】本発明の第１の実施の形態における記録制御部１５０によりコンテンツの管理方式を変更する場合における流れを模式的に示す図である。
【図１１】本発明の第１の実施の形態における記録制御部１５０によりコンテンツの管理方式を変更する場合における流れを模式的に示す図である。
【図１２】本発明の第１の実施の形態における記録制御部１５０によりコンテンツの管理方式を変更する場合における流れを模式的に示す図である。
【図１３】本発明の第１の実施の形態における記録制御部１５０によりコンテンツの管理方式を変更する場合における流れを模式的に示す図である。
【図１４】本発明の第１の実施の形態における記録制御部１５０によりコンテンツの管理方式を変更する場合における流れを模式的に示す図である。
【図１５】本発明の第１の実施の形態における記録制御部１５０によりコンテンツの管理方式を変更する場合における流れを模式的に示す図である。
【図１６】本発明の第１の実施の形態における記録制御部１５０によりコンテンツの管理方式を変更する場合における流れを模式的に示す図である。
【図１７】本発明の第１の実施の形態における記録制御部１５０によりコンテンツの管理方式を変更する場合における流れを模式的に示す図である。
【図１８】本発明の第１の実施の形態における撮像装置１００によるコンテンツ管理方式変更処理の処理手順の一例を示すフローチャートである。
【図１９】本発明の第１の実施の形態における撮像装置１００によるコンテンツ管理方式変更処理の処理手順のうちのコンテンツ追加による管理方式変更処理の一例を示すフローチャートである。
【図２０】本発明の第１の実施の形態における撮像装置１００によるコンテンツ管理方式変更処理の処理手順のうちの優先順位変更による管理方式変更処理の一例を示すフローチャートである。
【図２１】本発明の第１の実施の形態における撮像装置１００によるコンテンツ管理方式変更処理の処理手順のうちのコンテンツ減少による管理方式変更処理の一例を示すフローチャートである。
【図２２】本発明の第１の実施の形態の変形例における記録媒体２００に記憶されている画像コンテンツのファイル構成の一例を示す図である。
【図２３】本発明の第１の実施の形態の変形例における記録媒体２００に記憶されているリンクファイルを概略的に示す図である。
【図２４】本発明の第１の実施の形態の変形例における記録媒体２００に記憶されている画像コンテンツのファイル構成の一例を示す図である。
【発明を実施するための形態】
【００２３】
以下、本発明を実施するための形態（以下、実施の形態と称する）について説明する。説明は以下の順序により行う。
１．第１の実施の形態（コンテンツ管理制御：２つの管理方式の記録フォーマットにより管理が可能なコンテンツについてその管理対象を優先順位に基づいて変更する例）
２．変形例
【００２４】
＜１．第１の実施の形態＞
［撮像装置の構成例］
図１は、本発明の第１の実施の形態における撮像装置１００の機能構成例を示すブロック図である。撮像装置１００は、操作受付部１１０と、制御部１２０と、コンテンツ入力部１３０と、撮像部１４０と、記録制御部１５０と、優先コンテンツ設定部１６０と、表示制御部１７０と、表示部１８０と、記録媒体２００とを備える。
【００２５】
操作受付部１１０は、ユーザによって操作された操作内容を受け付ける操作受付部であり、受け付けられた操作内容に応じた操作信号を制御部１２０に供給する。操作受付部１１０は、例えば、シャッターボタン等の操作部材やタッチパネルに対応する。このタッチパネルは、例えば、表示部１８０の画面を透過するように表示部１８０に重ねて配置され、表示面に接触する物体を検出することによりユーザからの操作入力を受け付ける。すなわち、タッチパネルは、表示部１８０における表示面において、ユーザが指を触れる等して所望の位置を押下すると、この押下位置の座標を検出し、この検出された座標に対応する操作信号を制御部１２０に出力する。そして、制御部１２０は、その操作信号を取得すると、取得された操作信号に基づいて所定の処理を実行する。操作受付部１１０として、例えば、専用の感知装置を用いて表示面における接触を電気信号に変換し、この変換された電気信号を制御部１２０に出力するタッチパネルを用いることができる。また、操作受付部１１０として、例えば、表示面に近接または接触する物体（例えば、ユーザの指）を検出することが可能な光センサ方式のタッチパネルを用いるようにしてもよい。
【００２６】
制御部１２０は、操作受付部１１０からの操作内容に基づいて、撮像装置１００の各部を制御するものである。例えば、制御部１２０は、操作受付部１１０により操作入力が受け付けられた際にその操作入力が特定操作に係る操作入力であるか否かを判定する。そして、制御部１２０は、その操作入力が特定操作に係る操作入力である場合には、記録媒体２００に記憶されている各コンテンツについて、その管理対象となるコンテンツ管理フォーマット（記録フォーマット）を変更する制御を行う。すなわち、複数のコンテンツ管理フォーマット（例えば、図２等に示す管理方式ＡおよびＢ）について、一定条件を満たす場合に、各コンテンツの管理対象となるコンテンツ管理フォーマットが変更される。この変更処理については、記録制御部１５０により行われる。ここで、特定操作は、例えば、撮影やコピー等のコンテンツの追加を伴う処理や、削除や編集等のコンテンツの減少を伴う処理を行うための操作、優先順位を変更する操作を意味する。
【００２７】
具体的には、制御部１２０は、その操作入力が特定操作に係る操作入力である場合には、特定コンテンツ管理フォーマット（例えば、図２等に示す管理方式Ａ）により優先コンテンツが管理されるように優先コンテンツの管理対象を変更する。この優先コンテンツについては、優先コンテンツ設定部１６０により設定される。また、例えば、優先コンテンツの管理対象となるコンテンツ管理フォーマットを特定コンテンツ管理フォーマットに変更する場合に、特定記録フォーマットの管理対象となっているコンテンツの数が、その上限数に達している場合を想定する。この場合には、制御部１２０は、優先コンテンツとして設定されていないコンテンツについては、その管理対象を特定コンテンツ管理フォーマットから他のコンテンツ管理フォーマットに変更する制御を行う。これらの制御内容については、図８乃至図１７等を参照して詳細に説明する。
【００２８】
コンテンツ入力部１３０は、外部装置から出力されたコンテンツ（動画コンテンツ等）を入力するものであり、このコンテンツが記録制御部１５０に供給される。
【００２９】
撮像部１４０は、制御部１２０の制御に基づいて、被写体を撮像して撮像画像を生成するものであり、生成された撮像画像を記録制御部１５０に供給する。例えば、撮像部１４０は、操作受付部１１０により動画記録の指示操作（例えば、録画ボタンの押下操作）が受け付けられた場合には、所定のフレームレートで撮像画像（フレーム）を順次生成する。具体的には、撮像部１４０は、レンズを介して入射された被写体の光を電気信号に変換する撮像素子と、この撮像素子の出力信号を処理してデジタルの画像信号（画像データ）を生成する信号処理部とを備える。すなわち、撮像部１４０において、レンズを介して入射された被写体の光学像が撮像素子の撮像面に結像され、この状態で撮像素子が撮像動作を行い、信号処理部が撮像信号に対して信号処理を行うことにより、デジタルの画像信号が生成される。そして、その生成された画像信号（デジタル画像信号）に対して、補間処理やホワイトバランス等の色・階調処理等の各種画像処理が行われ、記録対象となる画像データ（撮像画像）が生成される。なお、撮像素子として、例えば、ＣＣＤ（Charge Coupled Device）やＣＭＯＳ（Complementary Metal Oxide Semiconductor）を用いることができる。
【００３０】
記録制御部１５０は、制御部１２０の制御に基づいて、撮像部１４０から出力された撮像画像を画像ファイル（画像コンテンツ）として記録媒体２００に記録させるものである。例えば、記録制御部１５０は、操作受付部１１０により動画記録の指示操作が受け付けられた場合には、撮像部１４０から所定のフレームレートで出力される撮像画像を動画ファイル（動画コンテンツ）として記録媒体２００に記録させる。なお、動画記録の指示操作は、例えば、録画ボタンの押下操作により行われる。また、記録制御部１５０は、制御部１２０の制御に基づいて、コンテンツ入力部１３０から出力されたコンテンツを記録媒体２００に記録させる。
【００３１】
また、記録制御部１５０は、制御部１２０の制御に基づいて、複数のコンテンツ管理フォーマット（記録フォーマット）により記録媒体２００に記憶されているコンテンツを管理する。例えば、記録制御部１５０は、複数のコンテンツ管理フォーマット（例えば、図２等に示す管理方式ＡおよびＢ）について、一定条件を満たす場合に、各コンテンツの管理対象となるコンテンツ管理フォーマットを変更する。具体的には、記録制御部１５０は、特定コンテンツ管理フォーマット（例えば、図２等に示す管理方式Ａ）により優先コンテンツが管理されるように優先コンテンツの管理対象を変更する。また、例えば、優先コンテンツの管理対象となるコンテンツ管理フォーマットを特定コンテンツ管理フォーマットに変更する場合に、特定記録フォーマットの管理対象となっているコンテンツの数が、その上限数に達している場合を想定する。この場合には、記録制御部１５０は、優先コンテンツとして設定されていないコンテンツについては、その管理対象を特定コンテンツ管理フォーマットから他のコンテンツ管理フォーマットに変更する。これらの変更処理については、図８乃至図１７等を参照して詳細に説明する。
【００３２】
優先コンテンツ設定部１６０は、記録媒体２００への記録対象となる複数のコンテンツについて、これらの各コンテンツのうちの少なくとも１つのコンテンツを優先コンテンツとしてユーザ選択または所定規則に基づいて設定するものである。例えば、優先コンテンツ設定部１６０は、記録媒体２００に記憶されているコンテンツの中から、ユーザにより選択されたコンテンツを優先コンテンツとして設定する。また、例えば、優先コンテンツ設定部１６０は、所定規則（例えば、被写体に含まれる顔の数が多い順に一定数を優先コンテンツとする）に基づいて優先コンテンツを設定する。この所定規則については、予め設定された規則を用いるようにしてもよく、ユーザ操作により適宜変更するようにしてもよい。また、優先コンテンツ設定部１６０は、例えば、記録媒体２００に記憶されている各コンテンツ間における優先順位を、各コンテンツに関する属性に基づいて決定し、その優先順位に基づいて優先コンテンツを設定する。この場合には、例えば、優先コンテンツを設定するためのコンテンツに関する属性を指定する指定操作を受け付けつけると、この指定された属性に基づいて優先順位が決定される。これらの優先順位の決定および優先コンテンツの設定については、図４乃至図７を参照して詳細に説明する。
【００３３】
表示制御部１７０は、制御部１２０の制御に基づいて、記録媒体２００に記憶されている画像コンテンツまたは撮像部１４０により生成された画像コンテンツを表示部１８０に表示させるものである。また、例えば、表示制御部１７０は、各種設定画面（例えば、図４（ａ）に示す設定画面５００や図５に示す設定画面５３０）やモニタリング画像（いわゆる、スルー画像）を表示部１８０に表示させる。
【００３４】
表示部１８０は、表示制御部１７０の制御に基づいて、各種画像を表示する表示部である。表示部１８０として、例えば、ＬＣＤ（Liquid Crystal Display）、有機ＥＬ（Electro Luminescence）パネル等を用いることができる。
【００３５】
記録媒体２００は、記録制御部１５０の制御に基づいて、撮像部１４０により生成された画像データ（撮像画像）を画像ファイル（画像コンテンツ（静止画コンテンツまたは動画コンテンツ））として記憶するものである。また、記録媒体２００は、記録制御部１５０の制御に基づいて、コンテンツ入力部１３０から入力されたコンテンツを記憶する。また、記録媒体２００は、記憶されている画像コンテンツを表示制御部１７０に供給する。具体的には、記録媒体２００には、管理することができるコンテンツ数の上限が異なる２つのコンテンツ管理フォーマットにより管理されているコンテンツが記憶され、これらの各コンテンツの実データファイルの一部または全部が共有されている。ここでいう実データファイルとは、動画像や静止画像の圧縮データそのもののファイルや、圧縮データと関連する付随データ（属性情報等）を格納したファイルを意味するものとする。
【００３６】
なお、記録媒体２００として、例えば、ＤＶＤ（Digital Versatile Disk）等のディスクやメモリカード等の半導体メモリ等のリムーバブルな１または複数の記録媒体を用いることができる。また、これらの記録媒体は、撮像装置１００に内蔵するようにしてもよく、撮像装置１００から着脱可能とするようにしてもよい。なお。記録媒体２００に記憶されているコンテンツのファイル構成については、図２および図３を参照して詳細に説明する。
【００３７】
［コンテンツ管理フォーマットのデータ構造例および管理方式例］
図２は、本発明の第１の実施の形態における記録媒体２００に記憶されている画像コンテンツのファイル構成の一例を示す図である。図２に示す例では、管理可能なコンテンツ数の上限が異なる２つのコンテンツ管理フォーマット（管理方式Ａおよび管理方式Ｂ）により管理されている画像コンテンツが１つの記録媒体に記憶されている例を示す。なお、図２（ａ）には、管理方式Ａにより管理されている画像コンテンツのファイル構成の一例を示す。また、図２（ｂ）には、管理方式Ｂにより管理されている画像コンテンツのファイル構成の一例を示す。なお、図２（ａ）および（ｂ）に示すファイル構成については、図３を参照して詳細に説明する。
【００３８】
図３は、本発明の第１の実施の形態における記録媒体２００に記憶されている画像コンテンツを管理するためのコンテンツ管理フォーマットの管理方式と、リンク情報を記録したリンクファイルとを概略的に示す図である。図３（ａ）では、記録媒体２００に記憶されている画像コンテンツを管理するためのコンテンツ管理フォーマットの管理方式２０１として、管理方式Ａ（図２（ａ）に示す）および管理方式Ｂ（図２（ｂ）に示す）を例にして説明する。
【００３９】
管理方式Ａは、管理仕様２０２に示すように、ＡＶＣＨＤ規格に従ったコンテンツ管理フォーマットである。具体的には、管理方式Ａは、ＡＶＣＨＤ規格に従ってＭＰＥＧ（Moving Picture Experts Group）−ＴＳ（トランスポートストリーム）のＡＶＣ動画コンテンツを管理する管理方式である。
【００４０】
管理方式Ｂは、管理仕様２０２に示すように、ＤＣＦ（Design rule for Camera File system）規格に従った独自のコンテンツ管理フォーマットである。具体的には、管理方式Ｂは、ＤＣＦ規格の拡張画像ファイルとしてＭＰＥＧ−ＴＳのＡＶＣ動画コンテンツ（ＡＶＣのストリームファイル）をＤＣＦオブジェクトとしてグループ化して管理する管理方式である。同様に、管理方式Ｂは、他のＤＣＦファイルとしてＡＶＣＨＤ規格のクリップインフォメーションファイルをＤＣＦオブジェクトとしてグループ化して管理する管理方式である。
【００４１】
図３（ｂ）には、実データファイルを別のコンテンツ管理フォーマット（管理方式Ａ）により管理する場合に、管理方式Ｂに記録されるリンクファイルを概略的に示す。図３（ｂ）に示すリンクファイルは、図２（ｂ）に示すファイル「ＬＩＮＫ０１０１．ＤＡＴ」３２３に対応するものである。
【００４２】
このように、管理方式Ｂでは、実データファイルを別のコンテンツ管理フォーマット（管理方式Ａ）により管理する場合には、ＤＣＦオブジェクトとしてリンク情報を記録したリンクファイルを記録し、ファイルの関連性を記述する。すなわち、実データファイルが管理方式Ａにより管理されているコンテンツについては、管理方式Ａおよび管理方式Ｂにより共有して管理される。
【００４３】
また、ストリーム管理数上限値２０３は、管理方式Ａが「４０００」であるのに対し、管理方式Ｂが「８９９９１００」である。また、再生機との互換性２０４は、管理方式Ａが「高い」のに対し、管理方式Ｂが「低い」である。
【００４４】
このように、管理方式Ａは、ストリーム管理数の上限値が低いが、再生機（プレイヤー）との再生互換性が高いという特徴を有する。これに対して、管理方式Ｂは、ストリーム管理数の上限値が高いが、再生機との再生互換性が低いという特徴を有する。
【００４５】
このため、ユーザにより再生される可能性が高い画像コンテンツについては、管理方式Ａにより管理することが好ましい。しかしながら、管理方式Ａは、管理方式Ｂよりもストリーム管理数の上限値が低いため、全ての画像コンテンツを管理方式Ａにより管理することができないことも想定される。そこで、本発明の第１の実施の形態では、各画像コンテンツに優先順位を付与し、優先順位が高い画像コンテンツについては、管理方式Ａにより優先的に管理する。
【００４６】
次に、図２を参照して、管理方式ＡおよびＢにより管理されている画像コンテンツのファイル構成について説明する。
【００４７】
記録媒体２００のルートディレクトリの下には、図２（ａ）に示すディレクトリ「ＡＶＣＨＤ」３００と、図２（ｂ）に示すディレクトリ「ＤＣＩＭ」３２０とが配置される。また、ディレクトリ「ＡＶＣＨＤ」３００の下には、ディレクトリ「ＢＤＭＶ」３０１が配置される。
【００４８】
図２（ａ）に示すディレクトリ「ＢＤＭＶ」３０１は、動画映像記録アプリケーションフォーマットで規定されたフォルダおよびファイルが属するディレクトリである。
【００４９】
ディレクトリ「ＢＤＭＶ」３０１の直下には、ファイル「ＩＮＤＥＸ．ＢＤＭ」３０２およびファイル「ＭＯＶＩＥＯＢＪ．ＢＤＭ」３０３が配置される。また、ディレクトリ「ＢＤＭＶ」３０１の下には、ディレクトリ「ＰＬＡＹＬＩＳＴ」３０４、ディレクトリ「ＣＬＩＰＩＮＦ」３０６およびディレクトリ「ＳＴＲＥＡＭ」３０９が配置される。
【００５０】
ファイル「ＩＮＤＥＸ．ＢＤＭ」３０２は、ディレクトリ「ＢＤＭＶ」３０１の内容を格納するインデックスファイルであり、動画ファイル（チャプタ）を登録管理するファイルである。また、ファイル「ＭＯＶＩＥＯＢＪ．ＢＤＭ」３０３は、アプリケーション記録フォーマットで決められたファイルであり、ムービーオブジェクトの情報を格納する。
【００５１】
ディレクトリ「ＰＬＡＹＬＩＳＴ」３０４は、プレイリストのデータベースが配置されるディレクトリである。このディレクトリ「ＰＬＡＹＬＩＳＴ」３０４は、例えば、プレイリストに関するファイル（例えば、ファイル「０００００．ＭＰＬ」３０５）を含む。なお、ディレクトリ「ＰＬＡＹＬＩＳＴ」３０４におけるファイルのファイル名は、５桁の数字と拡張子からなる。また、このファイルの拡張子としては「．ＭＰＬ」が用いられる。また、ディレクトリ「ＰＬＡＹＬＩＳＴ」３０４におけるファイルは、動画ファイル（チャプタ）へのコンテンツ毎のアクセスを登録する単位であり、開始点（ＩＮ点）および終了点（ＯＵＴ点）が論理時刻指定で管理される。
【００５２】
ディレクトリ「ＣＬＩＰＩＮＦ」３０６は、クリップのデータベースが置かれるディレクトリである。ディレクトリ「ＣＬＩＰＩＮＦ」３０６は、例えば、クリップＡＶストリームファイルのそれぞれに対するクリップインフォメーションファイル（例えば、ファイル「０００００．ＣＰＩ」３０７、「００００１．ＣＰＩ」３０８）を含む。なお、ディレクトリ「ＣＬＩＰＩＮＦ」３０６におけるファイルのファイル名は、５桁の数字と拡張子からなる。このファイルの拡張子としては「．ＣＰＩ」が用いられる。また、ディレクトリ「ＣＬＩＰＩＮＦ」３０６におけるファイルは、動画ファイル（チャプタ）に対応するＡＶストリームへのアクセスを管理するファイルである。
【００５３】
ディレクトリ「ＳＴＲＥＡＭ」３０９は、実体としてのＡＶストリームファイルが置かれるディレクトリである。ディレクトリ「ＳＴＲＥＡＭ」３０９は、例えば、クリップインフォメーションファイルのそれぞれに対応するクリップＡＶストリームファイル（例えば、ファイル「０００００．ＭＴＳ」３１０、「００００１．ＭＴＳ」３１１）を含む。また、ディレクトリ「ＳＴＲＥＡＭ」３０９におけるファイルは、ＭＰＥＧ−２のトランスポートストリームからなり、ファイル名は、５桁の数字と拡張子からなる。ここで、ファイル名５桁の数字の部分は、対応するクリップインフォメーションファイルと同一にすることにより、クリップインフォメーションファイルとこのクリップＡＶストリームファイルとの対応関係を示す。また、各ファイルの拡張子としては「．ＭＴＳ」が用いられる。また、ディレクトリ「ＳＴＲＥＡＭ」３０９におけるファイルは、１つのチャプタについて１ファイルとされる。
【００５４】
ディレクトリ「ＤＣＩＭ」３２０は、静止画記録アプリケーションフォーマットで規定されたフォルダや、静止画ファイルが属するディレクトリである。また、ディレクトリ「ＤＣＩＭ」３２０の直下には、ＤＣＦディレクトリ（例えば、ディレクトリ「１００ＡＶＣＨＤ」３２１）が配置される。また、ＤＣＦディレクトリの下には、リンクファイル（例えば、ファイル「ＬＩＮＫ０１００．ＤＡＴ」３２２、「ＬＩＮＫ０１０１．ＤＡＴ」３２３）が配置される。さらに、ＤＣＦディレクトリの下には、ＤＣＦファイル（ファイル「ＡＶＣ００１０２．ＣＰＩ」３２４、「ＡＶＣ００１０２．ＭＴＳ」３２５）が配置される。
【００５５】
リンクファイル「ＬＩＮＫ０１００．ＤＡＴ」３２２および「ＬＩＮＫ０１０１．ＤＡＴ」３２３）は、ＤＣＦオブジェクトとしてリンク情報が記録されたリンクファイルである。すなわち、これらの各リンクファイルは、実データファイルを別のコンテンツ管理フォーマット（管理方式Ａ）により管理する場合に、ＤＣＦオブジェクトとしてリンク情報が記録されたリンクファイルである。これらの各リンクファイルの自由文字として「ＬＩＮＫ」が用いられ、拡張子として「．ＤＡＴ」が用いられる。また、これらの各リンクファイルに対応するリンク先を、各リンクファイルに対応する矩形を囲む点線の矩形３２６および３２７からの矢印３１２および３１３で指し示す。
【００５６】
ファイル「ＡＶＣ００１０２．ＣＰＩ」３２４は、ＡＶＣＨＤ規格のクリップインフォメーションファイルがＤＣＦオブジェクトとされたＤＣＦファイルである。また、「ＡＶＣ００１０２．ＭＴＳ」３２５は、ＤＣＦ規格の拡張画像ファイルとしてＭＰＥＧ−ＴＳのＡＶＣ動画コンテンツ（ＡＶＣのストリームファイル）がＤＣＦオブジェクトとされたＤＣＦファイルである。
【００５７】
また、管理方式Ｂでは、これらの各ファイル（ファイル「ＡＶＣ００１０２．ＣＰＩ」３２４および「ＡＶＣ００１０２．ＭＴＳ」３２５）をＤＣＦオブジェクトとして１コンテンツをグループ化して管理する。このグループ化されたＤＣＦオブジェクトを点線の矩形３２８により囲んで示す。
【００５８】
［コンテンツの属性に基づく優先順位の設定例］
図４および図５は、本発明の第１の実施の形態における優先コンテンツ設定部１６０による優先コンテンツの設定例およびその設定内容例を示す図である。図４（ａ）には、優先コンテンツ設定部１６０による優先コンテンツの設定時に表示部１８０に表示される設定画面の一例（設定画面５００）を示す。設定画面５００は、例えば、ユーザ操作に基づいて表示制御部１７０が表示部１８０に表示させる。また、図４（ａ）では、コンテンツの属性に基づいて、ユーザの好みに応じた優先順位を設定する例を示す。
【００５９】
設定画面５００は、コンテンツ属性選択ボタン５０１乃至５０４と、決定ボタン５０５とが設けられている。コンテンツ属性選択ボタン５０１乃至５０４は、ユーザが優先コンテンツとして所望するコンテンツの属性を選択する際に押下されるボタンである。
【００６０】
例えば、コンテンツ属性選択ボタン５０１は、撮影日時が新しいコンテンツ（チャプタ）の優先順位を高くする場合に押下されるボタンである。また、コンテンツ属性選択ボタン５０２は、顔を多く含むコンテンツ（チャプタ）の優先順位を高くする場合に押下されるボタンである。また、コンテンツ属性選択ボタン５０３は、笑い声を多く含むコンテンツ（チャプタ）の優先順位を高くする場合に押下されるボタンである。また、コンテンツ属性選択ボタン５０４は、プレイリストに登録されているコンテンツ（チャプタ）の優先順位を高くする場合に押下されるボタンである。
【００６１】
決定ボタン５０５は、ユーザが優先コンテンツとして所望するコンテンツの属性を選択する選択操作（コンテンツ属性選択ボタン５０１乃至５０４の押下操作）が行われた後に、その選択を決定する際に押下されるボタンである。
【００６２】
このように、コンテンツの属性の選択操作が行われた後に、決定ボタン５０５の押下操作が行われた場合には、制御部１２０が、その選択されたコンテンツ属性選択ボタンに応じた制御信号を優先コンテンツ設定部１６０に出力する。その制御信号を受け付けた場合には、優先コンテンツ設定部１６０は、その選択されたコンテンツ属性選択ボタンに対応するコンテンツの属性に基づいて、記録媒体２００に記憶されているコンテンツの優先順位を設定する。具体的には、優先コンテンツ設定部１６０は、記録媒体２００に記憶されている各コンテンツに関連付けて記録されている属性情報（コンテンツ属性情報）を取得し、この取得された各属性情報を用いて各コンテンツの優先順位を設定する。このコンテンツ属性情報は、例えば、画像コンテンツ（画像ファイル）内や、コンテンツ管理情報としてコンテンツ管理ファイル等に記録されている。また、優先順位の設定内容については、図４（ｂ）および図５に示す。
【００６３】
また、このように設定された優先順位については、コンテンツ属性情報として記録される。このコンテンツ属性情報は、例えば、画像コンテンツ（画像ファイル）内に記録するようにしてもよく、コンテンツ管理情報としてコンテンツ管理ファイル等に記録するようにしてもよい。
【００６４】
図４（ｂ）および図５には、図４（ａ）に示す設定画面５００において設定された優先順位の設定内容の一例を模式的に示す。図４（ｂ）には、図４（ａ）に示すように、ユーザの指５１０により、コンテンツ属性選択ボタン５０２の押下操作が行われた後に、決定ボタン５０５の押下操作が行われた場合における優先順位の設定内容を示す。また、図４（ｂ）では、コンテンツ属性情報として、コンテンツ識別情報５２１と、作成日時５２２と、顔の数５２３と、笑い声評価値５２４と、プレイリスト登録の有無５２５と、優先順位５２６とを関連付けて示す。
【００６５】
コンテンツ識別情報５２１は、記録媒体２００に記憶されているコンテンツを識別するための識別情報である。図４（ｂ）では、コンテンツ識別情報５２１として、コンテンツ＃１乃至＃９のコンテンツ識別情報（＃１乃至＃９）が格納されている場合を例にして示す。例えば、各コンテンツには、撮影日時の順序で、コンテンツ識別情報が付与される。
【００６６】
作成日時５２２は、記録媒体２００に記憶されているコンテンツが作成された日時（撮影日時）である。
【００６７】
顔の数５２３は、記録媒体２００に記憶されているコンテンツに含まれる顔の数である。例えば、コンテンツの撮像動作時において、顔検出部（図示せず）により顔検出処理が行われる。この顔検出処理により検出された顔に関する顔情報（例えば、顔の画像における位置およびサイズ）が、検出対象となったフレームに関連付けて記録される。このように記録された顔情報に基づいてコンテンツ毎の顔の数が算出され、顔の数５２３として記録される。
【００６８】
笑い声評価値５２４は、記録媒体２００に記憶されているコンテンツに含まれる笑い声に関する評価値（笑い声評価値）である。例えば、コンテンツの撮像動作時において、コンテンツを構成する音声データが時系列に解析され、この音声データの解析結果に基づいて音声データの特徴量が時系列に抽出される。なお、音声データの解析方法の詳細については、公知の各種解析方法を用いることができる。そして、このように抽出された音声データの特徴量に基づいて、笑い声評価値が算出され、笑い声評価値５２４として記録される。
【００６９】
プレイリスト登録の有無５２５は、記録媒体２００に記憶されているコンテンツが、プレイリストに登録されているか否かを示す情報である。このプレイリストは、例えば、ＡＶＣＨＤ規格におけるプレイリスト（例えば、図２（ａ）に示すファイル「０００００．ＭＰＬ」３０５）である。ＡＶＣＨＤ規格におけるプレイリストは、再生するクリップと、そのクリップの開始点および終了点の対に関する情報等から構成される。
【００７０】
優先順位５２６は、優先コンテンツ設定部１６０により設定された優先順位である。図４（ｂ）に示す例は、コンテンツ属性選択ボタン５０２の押下操作が行われた後に、決定ボタン５０５の押下操作が行われた場合における優先順位の設定内容であるため、顔の数５２３の大小に応じて、優先順位が決定される。すなわち、顔の数５２３に格納されている数が最も大きいコンテンツ（コンテンツ識別情報５２１の「＃６」）の優先順位が１位と決定される。一方、顔の数５２３に格納されている数が最も小さいコンテンツ（コンテンツ識別情報５２１の「＃３」）の優先順位が最下位（９位）と決定される。また、他のコンテンツについても、顔の数５２３に格納されている数の大小に応じてその優先順位が決定される。
【００７１】
図５（ａ）には、コンテンツ属性選択ボタン５０３の押下操作が行われた後に、決定ボタン５０５の押下操作が行われた場合における優先順位の設定内容を示す。なお、図５（ａ）に示すコンテンツ属性情報は、優先順位５２６の内容が異なる以外は、図４（ｂ）に示す例と同様である。
【００７２】
図５（ａ）に示す例は、コンテンツ属性選択ボタン５０３の押下操作が行われた後に、決定ボタン５０５の押下操作が行われた場合における優先順位の設定内容であるため、笑い声評価値５２４の大小に応じて、優先順位が決定される。すなわち、笑い声評価値５２４に格納されている数が最も大きいコンテンツ（コンテンツ識別情報５２１の「＃６」）の優先順位が１位と決定される。一方、笑い声評価値５２４に格納されている数が最も小さいコンテンツ（コンテンツ識別情報５２１の「＃３」）の優先順位が最下位（９位）と決定される。また、他のコンテンツについても、笑い声評価値５２４に格納されている数の大小に応じてその優先順位が決定される。
【００７３】
図５（ｂ）には、コンテンツ属性選択ボタン５０４の押下操作が行われた後に、決定ボタン５０５の押下操作が行われた場合における優先順位の設定内容を示す。なお、図５（ｂ）に示すコンテンツ属性情報は、優先順位５２６の内容が異なる以外は、図４（ｂ）に示す例と同様である。
【００７４】
図５（ｂ）に示す例は、コンテンツ属性選択ボタン５０４の押下操作が行われた後に、決定ボタン５０５の押下操作が行われた場合における優先順位の設定内容であるため、プレイリスト登録の有無５２５の内容に応じて、優先順位が決定される。すなわち、プレイリスト登録の有無５２５に「有」が格納されているコンテンツ（コンテンツ識別情報５２１の「＃１」、「＃３」、「＃７」乃至「＃９」）の優先順位が１位と決定される。一方、プレイリスト登録の有無５２５に「無」が格納されているコンテンツ（コンテンツ識別情報５２１の「＃２」、「＃４」乃至「＃６」）の優先順位が最下位（６位）と決定される。
【００７５】
なお、コンテンツ属性選択ボタン５０１の押下操作が行われた後に、決定ボタン５０５の押下操作が行われた場合における優先順位の設定についても、同様に行うことができる。この場合には、作成日時５２２の内容（作成日時の新古）に応じて、優先順位が決定される。
【００７６】
また、このように決定された優先順位に基づいて優先コンテンツが設定される。すなわち、その決定された優先順位が、管理方式Ａの管理対象となるコンテンツの数（上限数）の範囲内となるコンテンツが優先コンテンツとして設定される。
【００７７】
以上では、コンテンツの属性として、４種類の属性（コンテンツの撮影日時、コンテンツに含まれる顔の数、コンテンツに含まれる笑い声、コンテンツのプレイリスト登録の有無）を用いて優先順位を決定する例を示した。ただし、他の条件を用いて優先順位を決定するようにしてもよい。例えば、一連の連写撮影により複数のコンテンツ（静止画コンテンツ）が生成され、これらの複数のコンテンツがグループ化されている場合に、このグループ化されている各コンテンツのうち代表画像の優先順位を高くする条件を用いることができる。
【００７８】
また、複数のコンテンツの属性に基づいて優先順位を決定するようにしてもよい。例えば、第１優先のコンテンツの属性と第２優先のコンテンツの属性とを指定して、これらの各属性に基づいて優先順位を決定することができる。例えば、第１優先のコンテンツの属性をプレイリスト登録の有無とし、第２優先のコンテンツの属性を顔の数とする。この場合には、プレイリスト登録の有無５２５に基づいて、優先順位「１位」のコンテンツ（＃１、＃３、＃７乃至＃９）と、優先順位「６位」のコンテンツ（＃２、＃４乃至＃６）とが決定される。そして、優先順位「１位」の各コンテンツについては、顔の数５２３に基づいて優先順位（１位乃至５位）が決定され、優先順位「６位」の各コンテンツについては、顔の数５２３に基づいて優先順位（６位乃至９位）が決定される。
【００７９】
図４および図５では、ユーザ操作により選択されたコンテンツの属性に基づいて各コンテンツの優先順位を決定する例を示したが、ユーザ操作により所望のコンテンツを選択するようにしてもよい。
【００８０】
［ユーザ選択に基づく優先コンテンツの設定例］
図６は、本発明の第１の実施の形態における優先コンテンツ設定部１６０による優先コンテンツの設定時に表示部１８０に表示される設定画面の表示遷移例を示す図である。図６（ａ）および（ｂ）に示す設定画面５３０は、例えば、ユーザ操作に基づいて表示制御部１７０が表示部１８０に表示させる。
【００８１】
図６（ａ）に示す設定画面５３０には、コンテンツ一覧表示領域５３１および決定ボタン５３２が設けられている。コンテンツ一覧表示領域５３１には、記録媒体２００に記憶されているコンテンツを表す画像（例えば、代表画像）の一覧が表示されている。なお、図６では、内部にコンテンツ識別情報を付した矩形により、コンテンツを表す画像を簡略化して示す。また、コンテンツを表す画像の左上隅には、ユーザによる選択操作が行われたか否かを表すチェック欄が設けられている。すなわち、ユーザによる選択操作が行われたコンテンツを表す画像のチェック欄には、チェック印が付される。図６（ａ）に示す例では、コンテンツ＃１、＃３、＃４、＃８、＃９について、ユーザによる選択操作が行われた状態を示す。
【００８２】
決定ボタン５３２は、ユーザにより優先コンテンツを選択する押下操作がされた後に、その選択を決定する際に押下されるボタンである。
【００８３】
例えば、図６（ａ）に示す設定画面５３０において、ユーザの指５４０によりコンテンツ＃６に対応する矩形領域を押下する押下操作が行われた場合を想定する。この場合には、図６（ｂ）に示すように、設定画面５３０におけるコンテンツ＃６を表す画像のチェック欄にチェック印が付される。すなわち、図６（ｂ）では、既に選択されているコンテンツ＃１、＃３、＃４、＃８、＃９とともに、コンテンツ＃６が選択された状態を示す。この状態で、決定ボタン５３２が押下されると、チェック欄にチェック印が付されたコンテンツ＃１、＃３、＃４、＃６、＃８、＃９が優先コンテンツとして決定される。
【００８４】
図７は、本発明の第１の実施の形態における優先コンテンツ設定部１６０による優先コンテンツの設定内容例を示す図である。図７には、図６（ｂ）に示す設定画面５３０の状態で、決定ボタン５３２が押下された場合における優先順位の設定内容を示す。なお、図７に示すコンテンツ属性情報は、優先順位５２６の内容が異なる以外は、図４（ｂ）に示す例と同様である。
【００８５】
図７に示す例は、図６（ｂ）に示す設定画面５３０の状態で、決定ボタン５３２が押下された場合における優先順位の設定内容であるため、選択操作がされたか否かに応じて、優先順位が決定される。すなわち、設定画面５３０において選択操作がされたコンテンツ（＃１、＃３、＃４、＃６、＃８、＃９）の優先順位が１位と決定される。一方、設定画面５３０において選択操作がされなかったコンテンツ（＃２、＃５、＃７）の優先順位が７位と決定される。
【００８６】
また、図４（ａ）に示す設定画面５００と、図６に示す設定画面５３０とにおいて優先順位の決定操作が行われた場合には、例えば、図６に示す設定画面５３０において決定された優先順位を第１優先として優先順位を決定することができる。
【００８７】
また、このように決定された優先順位に基づいて優先コンテンツが設定される。例えば、その決定された優先順位が、管理方式Ａの管理対象となるコンテンツの数（上限数）の範囲内となるコンテンツが優先コンテンツとして設定される。
【００８８】
このように、本発明の第１の実施の形態では、記録媒体２００に記憶されている各コンテンツに関する優先順位および優先コンテンツを設定する。これにより、優先度の高いコンテンツから、管理することができるコンテンツ数の上限までの間で、共有するコンテンツをユーザの好みに応じて容易に選定することができる。
【００８９】
［コンテンツ追加による管理方式の変更例］
図８乃至図１１は、本発明の第１の実施の形態における記録制御部１５０によりコンテンツの管理方式を変更する場合における流れを模式的に示す図である。図８乃至図１１では、記録媒体２００に画像コンテンツが追加された場合に、優先順位に基づいて、その追加された画像コンテンツの管理方式を順次決定する例を示す。また、図８乃至図１１では、コンテンツの作成日時が新しいコンテンツの優先順位が高く設定されている例を示す。この場合に、追加対象となるコンテンツの優先順位は１位であるものとする。また、図８乃至図１１に示す例では、説明の容易のため、管理方式Ａ（ＡＶＣＨＤ規格）の管理可能なコンテンツ数の上限を２として説明する。
【００９０】
図８には、１つの画像コンテンツを新規に記録する場合を示す。このように画像コンテンツを新規に記録する場合は、例えば、撮像部１４０により生成された動画コンテンツを記録媒体２００に記録させる場合である。なお、図８では、図２に示す例と共通する部分には、同一の符号を付して説明する。具体的には、図８（ａ）に示すように、ディレクトリ「ＣＬＩＰＩＮＦ」３０６の下にクリップインフォメーションファイル（ファイル「０００００．ＣＰＩ」３０７）が記録される。また、ディレクトリ「ＳＴＲＥＡＭ」３０９の下にクリップＡＶストリームファイル（ファイル「０００００．ＭＴＳ」３１０）が記録される。
【００９１】
また、図８（ｂ）に示すように、ディレクトリ「１００ＡＶＣＨＤ」３２１の下にリンクファイル（ファイル「ＬＩＮＫ０００１．ＤＡＴ」３３１）が記録される。なお、このリンクファイルに対応するリンク先を、リンクファイルに対応する矩形を囲む点線の矩形３３２からの矢印３３５で指し示す。
【００９２】
このように、図８に示す例では、新規に記録される画像コンテンツが１つであるため、管理方式Ａのコンテンツ数の上限値に達していない。このため、管理方式Ａの管理下には、新規に追加された画像コンテンツが記録され、管理方式Ｂにはリンクファイルのみが記録される。
【００９３】
図９には、１つの画像コンテンツが記録された後に（図８に示す）、さらに１つの画像コンテンツを新規に記録する場合を示す。なお、図９では、図８に示す例と共通する部分には、同一の符号を付して説明する。具体的には、図９（ａ）に示すように、ディレクトリ「ＣＬＩＰＩＮＦ」３０６の下にクリップインフォメーションファイル（ファイル「００００１．ＣＰＩ」３０８）が記録される。また、ディレクトリ「ＳＴＲＥＡＭ」３０９の下にクリップＡＶストリームファイル（ファイル「００００１．ＭＴＳ」３１１）が記録される。
【００９４】
また、図９（ｂ）に示すように、ディレクトリ「１００ＡＶＣＨＤ」３２１の下にリンクファイル（ファイル「ＬＩＮＫ０００２．ＤＡＴ」３３３）が記録される。なお、このリンクファイルに対応するリンク先を、リンクファイルに対応する矩形を囲む点線の矩形３３４からの矢印３３６で指し示す。
【００９５】
このように、図９に示す例では、既に記録されている画像コンテンツが１つであり、新規に記録される画像コンテンツが１つであるため、管理対象となるコンテンツの数は２である。このように管理対象となるコンテンツの数が２であるため、管理方式Ａのコンテンツ数の上限値の範囲内である。このため、管理方式Ａの管理下には、新規に追加された画像コンテンツが記録され、管理方式Ｂにはリンクファイルのみが記録される。
【００９６】
図１０には、２つの画像コンテンツが記録された後に（図９に示す）、さらに１つの画像コンテンツを新規に記録する場合を示す。なお、図１０では、図９に示す例と共通する部分には、同一の符号を付して説明する。
【００９７】
ここで、図１０に示す例では、既に記録されている画像コンテンツが２つであり、新規に記録される画像コンテンツが１つであるため、管理対象となるコンテンツの数は３となる。このように管理対象となるコンテンツの数が３となるため、管理方式Ａのコンテンツ数の上限値を超えている。このため、管理方式Ａの管理下に記録されている画像コンテンツのうち、優先順位に従って、管理方式Ａから管理方式Ｂの管理下へ移動すべき画像コンテンツが決定される。
【００９８】
具体的には、優先順位が低い画像コンテンツ（作成日時が最も古いコンテンツ）が、管理方式Ａから管理方式Ｂの管理下へ移動すべき画像コンテンツとして決定される。そして、白抜きの矢印３５４に示すように、その決定された画像コンテンツが管理方式Ａから管理方式Ｂの管理下に移動される。すなわち、管理方式Ａの管理下に記録されている画像コンテンツ（ＡＶストリームファイル（ＭＴＳ）およびクリップインフォメーションファイル（ＣＰＩ））が、管理方式Ｂの管理下に移動される。具体的には、管理方式Ａの管理下に記録されている画像コンテンツ（ファイル「０００００．ＣＰＩ」３０７およびファイル「０００００．ＭＴＳ」３１０）が移動してディレクトリ「１００ＡＶＣＨＤ」３２１の下に記録される。この場合に、ディレクトリ「１００ＡＶＣＨＤ」３２１の下に、画像コンテンツ（ファイル「ＡＶＣ００００１．ＣＰＩ」３５１およびファイル「ＡＶＣ００００１．ＭＴＳ」３５２）が記録される。この移動処理後には、管理方式Ａの管理下に記録されていた画像コンテンツ（ファイル「０００００．ＣＰＩ」３０７およびファイル「０００００．ＭＴＳ」３１０）が削除される。
【００９９】
また、新規に追加された画像コンテンツについては、管理方式Ａの管理下に記録される。具体的には、図１０（ａ）に示すように、ディレクトリ「ＣＬＩＰＩＮＦ」３０６の下にクリップインフォメーションファイル（ファイル「００００２．ＣＰＩ」３４１）が記録される。また、ディレクトリ「ＳＴＲＥＡＭ」３０９の下にクリップＡＶストリームファイル（ファイル「００００２．ＭＴＳ」３４２）が記録される。
【０１００】
また、図１０（ｂ）に示すように、ディレクトリ「１００ＡＶＣＨＤ」３２１の下にリンクファイル（ファイル「ＬＩＮＫ０００３．ＤＡＴ」３６１）が記録される。なお、このリンクファイルに対応するリンク先を、リンクファイルに対応する矩形を囲む点線の矩形３６２からの矢印３６３で指し示す。このように記録処理が行われた後における記録例を図１１に示す。なお、図１０（ｂ）に示すように、ディレクトリ「１００ＡＶＣＨＤ」３２１の下に記録されていたリンクファイル（図８（ｂ）および図９（ｂ）に示すファイル「ＬＩＮＫ０００１．ＤＡＴ」３３１）については削除される。
【０１０１】
図１１には、３つの画像コンテンツが記録された後（図１０に示す）における記録例を示す。なお、図１１では、図１０に示す例と共通する部分には、同一の符号を付して示す。
【０１０２】
［優先順位変更による管理方式の変更例］
図１２乃至図１４は、本発明の第１の実施の形態における記録制御部１５０によりコンテンツの管理方式を変更する場合における流れを模式的に示す図である。図１２乃至図１４では、優先コンテンツ設定部１６０により優先順位が変更された場合に、変更後の優先順位に基づいて、記録媒体２００に記憶されている画像コンテンツの管理方式を変更する例を示す。また、図１２乃至図１４では、記録媒体２００に記憶されている画像コンテンツの優先順位については、対応する矩形内に括弧書きで示す。また、図１２乃至図１４に示す例では、説明の容易のため、管理方式Ａ（ＡＶＣＨＤ規格）の管理可能なコンテンツ数の上限を２として説明する。
【０１０３】
図１２には、３つの画像コンテンツが記録された後における記録例を示す。なお、図１２は、図１１に示す例において、優先順位が変更された点以外は、図１１と同様である。このため、図１２では、図１１に示す例と共通する部分には、同一の符号を付して示す。
【０１０４】
図１２に示すように、優先コンテンツ設定部１６０により優先順位が変更された場合には、変更後の優先順位に基づいて画像コンテンツの管理方式が変更される。例えば、管理方式Ａの管理下で最も優先順位が低いコンテンツと、管理方式Ｂの管理下で最も優先順位が高いコンテンツとが比較される。具体的には、管理方式Ａの管理下で最も優先順位が低いコンテンツとして、画像コンテンツ（ファイル「００００１．ＣＰＩ」３０８およびファイル「００００１．ＭＴＳ」３１１）が比較対象となる。また、管理方式Ｂの管理下で最も優先順位が高いコンテンツとして、画像コンテンツ（ファイル「ＡＶＣ００００１．ＣＰＩ」３５１およびファイル「ＡＶＣ００００１．ＭＴＳ」３５２）が比較対象となる。
【０１０５】
なお、管理方式Ａの管理下の全てのコンテンツの優先順位が、管理方式Ｂの管理下の全てのコンテンツの優先順位よりも低くない場合には、優先順位変更による管理方式の変更が行われない。すなわち、管理方式Ａの管理下の全ての優先順位が管理方式Ｂの管理下の全ての優先順位よりも高い場合、または、両者（比較対象となるコンテンツ同士）の優先順位が同じ場合には、優先順位変更による管理方式の変更が行われない。
【０１０６】
ここで、図１２に示す例では、比較対象となる管理方式Ａの管理下のコンテンツの優先順位（３位）が、管理方式Ｂの管理下のコンテンツの優先順位（１位）よりも低い。このため、優先順位変更による管理方式の変更が行われる。この管理方式の変更例を図１３に示す。
【０１０７】
図１３には、優先順位が変更された後に（図１２に示す）、優先順位変更による管理方式の変更を行う場合を示す。なお、図１３では、図１２に示す例と共通する部分には、同一の符号を付して説明する。具体的には、白抜きの矢印３７０に示すように、比較対象となる管理方式Ａの管理下のコンテンツと、管理方式Ｂの管理下のコンテンツとを入れ替える処理が行われる。すなわち、優先度（優先順位）の逆転が発生していた場合には、それらのコンテンツの管理方式を入れ替える処理が行われる。
【０１０８】
図１４には、比較対象となる管理方式Ａの管理下のコンテンツと、管理方式Ｂの管理下のコンテンツとの入替処理後における記録例を示す。なお、図１４では、図１３に示す例と共通する部分には、同一の符号を付して示す。
【０１０９】
例えば、入替対象となる管理方式Ａの管理下のコンテンツに対応するリンクファイル（ファイル「ＬＩＮＫ０００２．ＤＡＴ」３３３）が管理方式Ｂの管理下から削除される。
【０１１０】
また、入替対象となるコンテンツの実データファイルが、管理方式Ａの管理下から管理方式Ｂの管理下へ移動される。具体的には、管理方式Ａの管理下に記録されている画像コンテンツ（ファイル「００００１．ＣＰＩ」３０８およびファイル「００００１．ＭＴＳ」３１１）が移動して、ディレクトリ「１００ＡＶＣＨＤ」３２１の下に記録される。この場合に、ディレクトリ「１００ＡＶＣＨＤ」３２１の下に、画像コンテンツ（図１４（ｂ）に示すファイル「ＡＶＣ００００２．ＣＰＩ」３８１およびファイル「ＡＶＣ００００２．ＭＴＳ」３８２）が記録される。この移動処理後には、管理方式Ａの管理下に記録されていた画像コンテンツ（ファイル「００００１．ＣＰＩ」３０８およびファイル「００００１．ＭＴＳ」３１１）が削除される。この場合に、入替対象となるコンテンツに関するコンテンツ情報についても管理方式Ａの管理下から削除される。すなわち、管理方式Ａの管理下で、入替対象となるコンテンツに関するコンテンツ情報の登録抹消処理が行われる。また、この登録抹消処理では、ＡＶＣＨＤ規格における他のファイル（ＭＰＬやＢＤＭ）を整合させるためのメンテナンス処理が行われる。
【０１１１】
また、入替対象となるコンテンツの実データファイルが、管理方式Ｂの管理下から管理方式Ａの管理下へ移動される。すなわち、入替対象となるコンテンツ（ＡＶストリームファイル（ＭＴＳ）およびクリップインフォメーションファイル（ＣＰＩ））が、管理方式Ｂの管理下から管理方式Ａの管理下に移動される。具体的には、管理方式Ｂの管理下に記録されている画像コンテンツ（「ＡＶＣ００００１．ＣＰＩ」３５１）が移動して、ディレクトリ「ＣＬＩＰＩＮＦ」３０６の下にクリップインフォメーションファイル（ファイル「００００３．ＣＰＩ」３７１）が記録される。また、管理方式Ｂの管理下に記録されている画像コンテンツ（ファイル「ＡＶＣ００００１．ＭＴＳ」３５２）が移動して、ディレクトリ「ＳＴＲＥＡＭ」３０９の下にクリップＡＶストリームファイル（ファイル「００００３．ＭＴＳ」３７２）が記録される。なお、ファイル「００００３．ＣＰＩ」３７１およびファイル「００００３．ＭＴＳ」３７２については、図１４（ａ）に示す。続いて、管理方式Ａの管理下で、入替対象となるコンテンツに関するコンテンツ情報の登録処理が行われる。この登録処理では、ＡＶＣＨＤ規格における他のファイル（ＭＰＬやＢＤＭ）を整合させるためのメンテナンス処理が行われる。
【０１１２】
また、入替対象となるコンテンツのリンク情報が記述されたリンクファイルが、管理方式Ｂの管理下に記録される。具体的には、ディレクトリ「１００ＡＶＣＨＤ」３２１の下にリンクファイル（ファイル「ＬＩＮＫ０００４．ＤＡＴ」３８４）が記録される。このように記録処理が行われた後における記録例を図１４に示す。また、このリンクファイルに対応するリンク先を、リンクファイルに対応する矩形を囲む点線の矩形３８５からの矢印３８６で指し示す。
【０１１３】
なお、入替対象となるコンテンツの組み合わせが複数存在する場合には、これらの複数の各組について、管理方式の変更処理が順次行われる。
【０１１４】
［コンテンツ減少による管理方式の変更例］
図１５乃至図１７は、本発明の第１の実施の形態における記録制御部１５０によりコンテンツの管理方式を変更する場合における流れを模式的に示す図である。図１５乃至図１７では、記録媒体２００に記憶されている画像コンテンツが減少する場合に、優先順位に基づいて、減少対象となっていない画像コンテンツの管理方式を変更する例を示す。また、図１５乃至図１７では、記録媒体２００に記憶されている画像コンテンツの優先順位については、対応する矩形内に括弧書きで示す。また、図１５乃至図１７に示す例では、説明の容易のため、管理方式Ａ（ＡＶＣＨＤ規格）の管理可能なコンテンツ数の上限を２として説明する。
【０１１５】
図１５には、４つの画像コンテンツが記録された後における記録例を示す。なお、図１５は、図１４に示す例において、１つの画像コンテンツ（矩形３９３内に示す）が追加され、管理方式Ｂの管理下におけるコンテンツの優先順位（矩形３８３および３９３内に示す）が変更された点以外は、図１４と同様である。このため、図１５では、図１４に示す例と共通する部分には、同一の符号を付して示す。
【０１１６】
ここで、図１５（ａ）では、コンテンツ減少操作による減少対象となるコンテンツについては、対応する矩形を点線により示す。具体的には、画像コンテンツ（ファイル「００００２．ＣＰＩ」３４１およびファイル「００００２．ＭＴＳ」３４２）をコンテンツ減少操作による減少対象となるコンテンツとする。なお、この例では、コンテンツの減少を伴う処理が行なわれた場合には、管理方式Ａおよび管理方式Ｂの何れにおいても、整合性を保った状態でメンテナンスされていることを想定して説明する。例えば、リンクファイルにより指し示されている管理方式Ａの管理下のコンテンツが削除される場合には、管理方式Ｂの管理下のリンクファイルも併せて削除されるものとする。
【０１１７】
このように、記録媒体２００に記憶されているコンテンツがコンテンツ減少操作により減少する場合には、変更後の優先順位に基づいて、減少対象となっていないコンテンツの管理方式が変更される。すなわち、ユーザ操作によりコンテンツの減少を伴う処理が行われた場合には、コンテンツの管理方式の変更処理が行われる。具体的には、コンテンツ減少操作による減少対象となるコンテンツが、管理方式Ａの管理下に記録されている場合には、減少対象となっていない画像コンテンツの管理方式が変更される。一方、コンテンツ減少操作による減少対象となるコンテンツが、管理方式Ｂの管理下に記録されている場合には、管理方式の変更が行われない。
【０１１８】
図１５に示す例では、コンテンツ減少操作による減少対象となるコンテンツ（ファイル「００００２．ＣＰＩ」３４１およびファイル「００００２．ＭＴＳ」３４２）が、管理方式Ａの管理下に記録されている。このため、減少対象となっていない画像コンテンツの管理方式が変更される。この管理方式の変更例を図１６に示す。
【０１１９】
図１６には、コンテンツ減少操作が行われた後に（図１５に示す）、コンテンツ減少による管理方式の変更を行う場合を示す。なお、図１６では、図１５に示す例と共通する部分には、同一の符号を付して説明する。具体的には、白抜きの矢印３９０に示すように、管理方式Ｂの管理下のコンテンツを移動させる処理が行われる。
【０１２０】
図１７には、管理方式Ｂの管理下のコンテンツの移動処理後における記録例を示す。なお、図１７では、図１６に示す例と共通する部分には、同一の符号を付して示す。
【０１２１】
例えば、管理方式Ｂの管理下で最も優先順位が高いコンテンツが選択される。具体的には、管理方式Ｂの管理下で最も優先順位が高い画像コンテンツ（ファイル「ＡＶＣ００００３．ＣＰＩ」３９１およびファイル「ＡＶＣ００００３．ＭＴＳ」３９２）が選択される。続いて、選択されたコンテンツの実データファイルが、管理方式Ｂの管理下から管理方式Ａの管理下へ移動される。すなわち、選択されたコンテンツ（ＡＶストリームファイル（ＭＴＳ）およびクリップインフォメーションファイル（ＣＰＩ））が、管理方式Ｂの管理下から管理方式Ａの管理下に移動される。具体的には、管理方式Ｂの管理下に記録されている画像コンテンツ（ファイル「ＡＶＣ００００３．ＣＰＩ」３９１）が移動して、ディレクトリ「ＣＬＩＰＩＮＦ」３０６の下にクリップインフォメーションファイルが記録される。このクリップインフォメーションファイルは、ファイル「００００４．ＣＰＩ」３９４である。また、管理方式Ｂの管理下に記録されている画像コンテンツ（ファイル「ＡＶＣ００００３．ＭＴＳ」３９２）が移動して、ディレクトリ「ＳＴＲＥＡＭ」３０９の下にクリップＡＶストリームファイル（ファイル「００００４．ＭＴＳ」３９５）が記録される。なお、ファイル「００００４．ＣＰＩ」３９４およびファイル「００００４．ＭＴＳ」３９５については、図１７（ａ）に示す。続いて、管理方式Ａの管理下で、移動対象となるコンテンツに関するコンテンツ情報の登録処理が行われる。この登録処理では、ＡＶＣＨＤ規格における他のファイル（ＭＰＬやＢＤＭ）を整合させるためのメンテナンス処理が行われる。
【０１２２】
また、選択されたコンテンツのリンク情報が記述されたリンクファイルが、管理方式Ｂの管理下に記録される。具体的には、ディレクトリ「１００ＡＶＣＨＤ」３２１の下にリンクファイル（ファイル「ＬＩＮＫ０００５．ＤＡＴ」３９６）が記録される。なお、このリンクファイルに対応するリンク先を、リンクファイルに対応する矩形を囲む点線の矩形３９７からの矢印３９８で指し示す。このように記録処理が行われた後における記録例を図１７に示す。また、コンテンツ減少操作によりコンテンツが減少しているため、減少対象となったコンテンツよりも優先順位が低い各コンテンツの優先順位が変更される。例えば、移動対象となったコンテンツの優先順位が３位から２位となり、管理方式Ｂの管理下に記録されているコンテンツの優先順位が４位から３位となる。
【０１２３】
なお、減少対象となるコンテンツが複数存在する場合には、これらの複数のコンテンツについて、管理方式の変更処理が順次行われる。
【０１２４】
このように、ユーザの特定操作に応じて、２つのコンテンツ管理フォーマット間で共有されるコンテンツを自動的に迅速に更新することができる。ここで、特定操作は、例えば、撮影やコピー等のコンテンツの追加を伴う処理や、削除や編集等のコンテンツの減少を伴う処理を行うための操作を意味する。また、特定操作は、例えば、優先順位を変更する操作を意味する。このように、コンテンツが増減しない場合であっても、共有するコンテンツを変更するようにしてもよい。
【０１２５】
［撮像装置の動作例］
図１８は、本発明の第１の実施の形態における撮像装置１００によるコンテンツ管理方式変更処理の処理手順の一例を示すフローチャートである。
【０１２６】
最初に、ユーザによる操作入力が操作受付部１１０により受け付けられたか否かが判断され（ステップＳ９０１）、操作入力が受け付けられていない場合には監視を継続して行う。一方、操作入力が受け付けられた場合には（ステップＳ９０１）、その操作入力が特定操作に係る操作入力であるか否かが判断される（ステップＳ９０２乃至Ｓ９０４）。
【０１２７】
すなわち、その操作入力がコンテンツ追加操作であるか否かが判断され（ステップＳ９０２）、その操作入力がコンテンツ追加操作である場合には、コンテンツ追加による管理方式変更処理が行われる（ステップＳ９１０）。この管理方式変更処理については、図１９を参照して詳細に説明する。ここで、コンテンツ追加操作は、例えば、画像コンテンツ（静止画コンテンツまたは動画コンテンツ）を記録するための記録指示操作（例えば、撮影開始操作）、外部装置からコンテンツを入力するための操作（例えば、ダビング操作）である。
【０１２８】
また、その操作入力が優先順位変更操作であるか否かが判断され（ステップＳ９０３）、その操作入力が優先順位変更操作である場合には、優先順位変更による管理方式変更処理が行われる（ステップＳ９３０）。この管理方式変更処理については、図２０を参照して詳細に説明する。ここで、優先順位変更操作は、例えば、図４（ａ）に示す設定画面５００における決定操作、図６に示す設定画面５３０における決定操作である。
【０１２９】
また、その操作入力がコンテンツ減少操作であるか否かが判断され（ステップＳ９０４）、その操作入力がコンテンツ減少操作である場合には、コンテンツ減少による管理方式変更処理が行われる（ステップＳ９３０）。この管理方式変更処理については、図２１を参照して詳細に説明する。ここで、コンテンツ減少操作は、例えば、記録媒体２００に記憶されているコンテンツの削除や編集によりコンテンツを減少させる操作である。
【０１３０】
なお、その操作入力が特定操作に係る操作入力でない場合には（ステップＳ９０２乃至Ｓ９０４）、その操作入力に応じた処理が行われ（ステップＳ９０５）、コンテンツ管理方式変更処理の動作を終了する。なお、ステップＳ９１０、Ｓ９３０、Ｓ９５０は、特許請求の範囲に記載の制御手順の一例である。
【０１３１】
図１９は、本発明の第１の実施の形態における撮像装置１００によるコンテンツ管理方式変更処理の処理手順のうちのコンテンツ追加による管理方式変更処理（図１８に示すステップＳ９１０の処理手順）の一例を示すフローチャートである。
【０１３２】
最初に、コンテンツ追加操作による追加処理後のコンテンツ数（記録媒体２００に記憶されているコンテンツ数）は、管理方式Ａにより管理することができるコンテンツ数の上限値を超えているか否かが判断される（ステップＳ９１１）。その追加処理後のコンテンツ数が、管理方式Ａにより管理することができるコンテンツ数の上限値を超えていない場合には（ステップＳ９１１）、コンテンツ追加操作により追加対象となるコンテンツが、管理方式Ａの管理下に記録される（ステップＳ９１８）。続いて、コンテンツ追加操作により追加対象となるコンテンツのリンク情報が記述されたリンクファイルが、管理方式Ｂの管理下に記録される（ステップＳ９１９）。
【０１３３】
一方、その追加処理後のコンテンツ数が、管理方式Ａにより管理することができるコンテンツ数の上限値を超えている場合には（ステップＳ９１１）、追加対象となるコンテンツを含む各コンテンツの優先順位が比較される（ステップＳ９１２）。すなわち、コンテンツ追加操作により追加対象となるコンテンツと、管理方式Ａの管理下の各コンテンツとについて、優先順位が比較される。ここで、例えば、撮影日時を新しいものを優先する旨が設定されている場合において、コンテンツ追加操作として撮影開始操作が行われた場合には、追加対象となるコンテンツの優先順位が最も高くなる（すなわち、優先順位１位）。
【０１３４】
続いて、各コンテンツの優先順位の比較の結果、追加対象となるコンテンツよりも優先順位の低いコンテンツが、管理方式Ａの管理下に記録されているか否かが判断される（ステップＳ９１３）。追加対象となるコンテンツよりも優先順位の低いコンテンツが、管理方式Ａの管理下に記録されていない場合には（ステップＳ９１３）、追加対象となるコンテンツが、管理方式Ｂの管理下に記録される（ステップＳ９１４）。
【０１３５】
一方、追加対象となるコンテンツよりも優先順位の低いコンテンツが、管理方式Ａの管理下に記録されている場合には（ステップＳ９１３）、管理方式Ａの管理下で最も優先順位が低いコンテンツが特定される。そして、この特定されたコンテンツに対応するリンクファイルが管理方式Ｂの管理下から削除される（ステップＳ９１５）。続いて、その特定されたコンテンツの実データファイルが、管理方式Ａの管理下から管理方式Ｂの管理下へ移動される（ステップＳ９１６）。すなわち、その特定されたコンテンツ（ＡＶストリームファイル（ＭＴＳ）およびクリップインフォメーションファイル（ＣＰＩ））が、管理方式Ａの管理下から管理方式Ｂの管理下に移動される。
【０１３６】
続いて、その特定されたコンテンツに関するコンテンツ情報が管理方式Ａの管理下から削除される（ステップＳ９１７）。すなわち、管理方式Ａの管理下で、その特定されたコンテンツに関するコンテンツ情報の登録抹消処理が行われる。また、この登録抹消処理では、ＡＶＣＨＤ規格における他のファイル（ＭＰＬやＢＤＭ）を整合させるためのメンテナンス処理が行われる。
【０１３７】
続いて、コンテンツ追加操作により追加対象となるコンテンツが、管理方式Ａの管理下に記録される（ステップＳ９１８）。続いて、コンテンツ追加操作により追加対象となるコンテンツのリンク情報が記述されたリンクファイルが、管理方式Ｂの管理下に記録される（ステップＳ９１９）。
【０１３８】
図２０は、本発明の第１の実施の形態における撮像装置１００によるコンテンツ管理方式変更処理の処理手順のうちの優先順位変更による管理方式変更処理（図１８に示すステップＳ９３０の処理手順）の一例を示すフローチャートである。
【０１３９】
最初に、管理方式Ａの管理下で最も優先順位が低いコンテンツ（以下では、第１コンテンツと称する。）と、管理方式Ｂの管理下で最も優先順位が高いコンテンツ（以下では、第２コンテンツと称する。）とが比較される（ステップＳ９３１）。この比較の結果、第１コンテンツの優先順位が、第２コンテンツの優先順位よりも低いか否かが判断される（ステップＳ９３２）。そして、第１コンテンツの優先順位が第２コンテンツの優先順位よりも低くない場合には（ステップＳ９３２）、優先順位変更による管理方式変更処理の動作を終了する。すなわち、第１コンテンツの優先順位が第２コンテンツの優先順位よりも高い場合、または、両者の優先順位が同じ場合には、優先順位変更による管理方式変更を行わない。
【０１４０】
一方、第１コンテンツの優先順位が第２コンテンツの優先順位よりも低い場合には（ステップＳ９３２）、第１コンテンツに対応するリンクファイルが管理方式Ｂの管理下から削除される（ステップＳ９３３）。続いて、第１コンテンツの実データファイルが、管理方式Ａの管理下から管理方式Ｂの管理下へ移動される（ステップＳ９３４）。すなわち、第１コンテンツ（ＡＶストリームファイル（ＭＴＳ）およびクリップインフォメーションファイル（ＣＰＩ））が、管理方式Ａの管理下から管理方式Ｂの管理下に移動される。
【０１４１】
続いて、第１コンテンツに関するコンテンツ情報が管理方式Ａの管理下から削除される（ステップＳ９３５）。すなわち、管理方式Ａの管理下で、第１コンテンツに関するコンテンツ情報の登録抹消処理が行われる。また、この登録抹消処理では、ＡＶＣＨＤ規格における他のファイル（ＭＰＬやＢＤＭ）を整合させるためのメンテナンス処理が行われる。
【０１４２】
続いて、第２コンテンツの実データファイルが、管理方式Ｂの管理下から管理方式Ａの管理下へ移動される（ステップＳ９３６）。すなわち、第２コンテンツ（ＡＶストリームファイル（ＭＴＳ）およびクリップインフォメーションファイル（ＣＰＩ））が、管理方式Ｂの管理下から管理方式Ａの管理下に移動される。
【０１４３】
続いて、管理方式Ａの管理下で、第２コンテンツに関するコンテンツ情報の登録処理が行われる（ステップＳ９３７）。また、この登録処理では、ＡＶＣＨＤ規格における他のファイル（ＭＰＬやＢＤＭ）を整合させるためのメンテナンス処理が行われる。続いて、第２コンテンツのリンク情報が記述されたリンクファイルが、管理方式Ｂの管理下に記録される（ステップＳ９３８）。
【０１４４】
続いて、管理方式Ａの管理下に記録されているコンテンツと、管理方式Ｂの管理下に記録されているコンテンツとの全ての組み合わせについて比較処理が終了したか否かが判断される（ステップＳ９３９）。そして、その比較処理が終了してない場合には（ステップＳ９３９）、ステップＳ９３１に戻り、その比較処理が終了した場合には（ステップＳ９３９）、優先順位変更による管理方式変更処理の動作を終了する。
【０１４５】
図２１は、本発明の第１の実施の形態における撮像装置１００によるコンテンツ管理方式変更処理の処理手順のうちのコンテンツ減少による管理方式変更処理（図１８に示すステップＳ９５０の処理手順）の一例を示すフローチャートである。
【０１４６】
最初に、コンテンツ減少操作による減少対象となるコンテンツは、管理方式Ａの管理下に記録されているか否かが判断される（ステップＳ９５１）。減少対象となるコンテンツが管理方式Ａの管理下に記録されていない場合には（ステップＳ９５１）、コンテンツ減少による管理方式変更処理の動作を終了する。一方、減少対象となるコンテンツが管理方式Ａの管理下に記録されている場合には（ステップＳ９５１）、管理方式Ｂの管理下で最も優先順位が高いコンテンツ（以下では、第１コンテンツと称する。）が選択される（ステップＳ９５２）。
【０１４７】
続いて、第１コンテンツの実データファイルが、管理方式Ｂの管理下から管理方式Ａの管理下へ移動される（ステップＳ９５３）。すなわち、第１コンテンツ（ＡＶストリームファイル（ＭＴＳ）およびクリップインフォメーションファイル（ＣＰＩ））が、管理方式Ｂの管理下から管理方式Ａの管理下に移動される。
【０１４８】
続いて、管理方式Ａの管理下で、第１コンテンツに関するコンテンツ情報の登録処理が行われる（ステップＳ９５４）。また、この登録処理では、ＡＶＣＨＤ規格における他のファイル（ＭＰＬやＢＤＭ）を整合させるためのメンテナンス処理が行われる。
【０１４９】
続いて、第１コンテンツのリンク情報が記述されたリンクファイルが、管理方式Ｂの管理下に記録される（ステップＳ９５５）。
【０１５０】
続いて、管理方式Ａの管理下における全ての減少対象となるコンテンツの数だけ、管理方式変更処理が終了したか否かが判断され（ステップＳ９５６）、その管理方式変更処理が終了してない場合には、ステップＳ９５２に戻る。一方、その管理方式変更処理が終了した場合には（ステップＳ９５６）、コンテンツ減少による管理方式変更処理の動作を終了する。すなわち、コンテンツ減少操作では、複数のコンテンツについて同時に削除処理等が行われることがあるため、これらの複数のコンテンツについて、管理方式変更処理が行われる。
【０１５１】
＜２．変形例＞
以上では、管理方式Ｂの管理下に記録されるリンクファイルを、管理方式Ａの管理下におけるコンテンツ毎に作成して記録する例を示した。この変形例では、リンクファイルをＤＣＦディレクトリ内での固定ファイルとして管理方式Ｂの管理下に記録する例と、管理方式Ｂの管理下にリンク情報を記録しない例とを示す。なお、撮像装置１００の構成等については、リンク情報に関する記録が異なる点以外は、本発明の第１の実施の形態と同様である。このため、以下では、本発明の第１の実施の形態と異なる点を中心にして説明し、共通する部分の説明の一部を省略する。
【０１５２】
［コンテンツ管理フォーマットのデータ構造例および管理方式例］
図２２は、本発明の第１の実施の形態の変形例における記録媒体２００に記憶されている画像コンテンツのファイル構成の一例を示す図である。図２２（ａ）には、管理方式Ａにより管理されている画像コンテンツのファイル構成の一例を示す。また、図２２（ｂ）には、管理方式Ｂにより管理されている画像コンテンツのファイル構成の一例を示す。なお、図２２に示す例は、図２の変形例であり、リンクファイルをＤＣＦディレクトリ内での固定ファイルとして管理方式Ｂの管理下に記録する点が図２に示す例とは異なる。このため、図２と共通する部分には同一の符号を付して、これらの説明の一部を省略し、以下では、異なる点を中心に説明する。
【０１５３】
リンクファイル「ＬＩＮＫＬＩＳＴ．ＤＡＴ」８００は、実データファイルを別の管理フォーマット（管理方式Ａ）により管理する場合に、リンク情報が記録されているリンクファイル（ＤＣＦディレクトリ内での固定ファイル）である。このリンクファイルのファイル名として固定ファイル名「ＬＩＮＫＬＩＳＴ」が用いられ、拡張子として「．ＤＡＴ」が用いられる。また、このリンクファイルに対応するリンク先を、このリンクファイルに対応する矩形を囲む点線の矩形８０１からの矢印８０２で指し示す。このように、リンクファイル「ＬＩＮＫＬＩＳＴ．ＤＡＴ」８００には、ＤＣＦディレクトリ内の全てのリンク情報が集約されて記録されている。
【０１５４】
図２３は、本発明の第１の実施の形態の変形例における記録媒体２００に記憶されているリンクファイルを概略的に示す図である。なお、図２３に示す例は、図３（ｂ）の変形例であり、管理方式Ｂの管理下に記録されるリンクファイルを、ＤＣＦオブジェクトとして記録する代わりに、ＤＣＦディレクトリ内での固定ファイルとして記録する例である。すなわち、図２３には、実データファイルを別の管理フォーマット（管理方式Ａ）により管理する場合に、管理方式Ｂに記録されるリンクファイルを概略的に示す。
【０１５５】
また、図２３に示す例は、図２２（ｂ）に示すファイル「ＬＩＮＫＬＩＳＴ．ＤＡＴ」８００に対応するリンクファイルである。
【０１５６】
このように、管理方式Ｂでは、実データファイルを別の管理フォーマット（管理方式Ａ）により管理する場合には、ＤＣＦディレクトリ内での固定ファイルにリンク情報を記録したリンクファイルを記録し、ファイルの関連性を記述する。
【０１５７】
ここで、本発明の第１の実施の形態で示したリンクファイルの作成または削除について説明する。本発明の第１の実施の形態では、管理方式変更処理（コンテンツ追加による管理方式変更処理等）において、ＤＣＦオブジェクトとして記録されるリンクファイルの作成または削除を行う場合がある。しかしながら、この変形例では、リンクファイルがＤＣＦディレクトリ内での固定ファイルとして記録されるため、リンクファイルの作成または削除を行う必要がない。そこで、この変形例では、本発明の第１の実施の形態におけるリンクファイルの作成の代わりに、リンクファイル（固定ファイル）へのリンク情報の追加を行う。同様に、この変形例では、本発明の第１の実施の形態におけるリンクファイルの削除の代わりに、リンクファイル（固定ファイル）におけるリンク情報の削除を行う。このように、ＤＣＦディレクトリ内での固定ファイルにＤＣＦディレクトリ内の全てのリンク情報が集約されている場合でも、管理方式変更処理を適切に行うことができる。
【０１５８】
また、管理方式Ｂの管理下にリンク情報を記録しない場合についても、本発明の第１の実施の形態を適用することができる。この例を図２４に示す。
【０１５９】
［コンテンツ管理フォーマットのデータ構造例および管理方式例］
図２４は、本発明の第１の実施の形態の変形例における記録媒体２００に記憶されている画像コンテンツのファイル構成の一例を示す図である。図２４（ａ）には、管理方式Ａにより管理されている画像コンテンツのファイル構成の一例を示す。また、図２４（ｂ）には、管理方式Ｂにより管理されている画像コンテンツのファイル構成の一例を示す。なお、図２４に示す例は、図２の変形例であり、管理方式Ｂの管理下にリンク情報を記録しない点が図２に示す例とは異なる。このため、図２と共通する部分には同一の符号を付して、これらの説明の一部を省略し、以下では、異なる点を中心に説明する。
【０１６０】
ここで、本発明の第１の実施の形態で示したリンクファイルの作成または削除について説明する。本発明の第１の実施の形態では、管理方式変更処理（コンテンツ追加による管理方式変更処理等）において、ＤＣＦオブジェクトとして記録されるリンクファイルの作成または削除を行う場合がある。しかしながら、この変形例では、リンク情報を記録しないため、リンクファイルの作成または削除を行う必要がない。そこで、この変形例では、本発明の第１の実施の形態におけるリンクファイルの作成および削除に関する処理を省略することにより、管理方式変更処理を適切に行うことができる。
【０１６１】
このように、本発明の実施の形態では、互換性の高いコンテンツ管理フォーマット（管理方式Ａ）と、コンテンツ管理数の上限が多いコンテンツ管理フォーマット（管理方式Ｂ）との２種類のコンテンツ管理フォーマットを共存させることができる。この場合に、重要なコンテンツ（すなわち、ユーザ好みのコンテンツ（優先順位の高いコンテンツ））については、管理方式Ａにより管理されるため、他機との互換性（例えば、再生機器での再生互換性）を高めることができる。また、重要度が低いコンテンツ（優先順位の低いコンテンツ）については、コンテンツ管理数の上限が多い管理方式Ｂにより管理されるため、メディア容量を有効に活用することができる。すなわち、複数の管理方式によりコンテンツ管理を行うことが可能なハイブリッド記録を行う場合に、メディア容量を有効に活用することができる。また、複数の管理方式によりコンテンツ管理を行う場合に、ユーザ好みのコンテンツを適切に管理することができる。
【０１６２】
なお、本発明の実施の形態では、異なる２つのコンテンツ管理フォーマット（管理方式Ａおよび管理方式Ｂ）によりコンテンツを管理する例を示した。ただし、３以上のコンテンツ管理フォーマットによりコンテンツを管理する場合についても本発明の実施の形態を適用するようにしてもよい。この場合には、例えば、互換性が最も高いコンテンツ管理フォーマットを、優先順位の高いコンテンツ（優先コンテンツ）を管理する管理方式とすることができる。
【０１６３】
また、本発明の実施の形態では、異なる２つのコンテンツ管理フォーマットとして、ＡＶＣＨＤ規格に従ったコンテンツ管理フォーマットと、ＤＣＦ規格に従った独自のコンテンツ管理フォーマットとを例にして説明した。ただし、他のコンテンツ管理フォーマットを用いる場合についても本発明の実施の形態を適用することができる。
【０１６４】
なお、本発明の実施の形態では、撮像装置を例にして説明したが、記録媒体に記憶されているコンテンツを管理することが可能なコンテンツ管理装置やパーソナルコンピュータ等の情報処理装置に本発明の実施の形態を適用することができる。これらの情報処理装置として、コンテンツを記憶する記録媒体を内蔵する情報処理装置やその記録媒体を装着可能とする情報処理装置に適用することができる。
【０１６５】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０１６６】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０１６７】
１００  撮像装置
１１０  操作受付部
１２０  制御部
１３０  コンテンツ入力部
１４０  撮像部
１５０  記録制御部
１６０  優先コンテンツ設定部
１７０  表示制御部
１８０  表示部
２００  記録媒体
【図１】
0005589571.tif 000002
【図２】
0005589571.tif 000003
【図３】
0005589571.tif 000004
【図４】
0005589571.tif 000005
【図５】
0005589571.tif 000006
【図６】
0005589571.tif 000007
【図７】
0005589571.tif 000008
【図８】
0005589571.tif 000009
【図９】
0005589571.tif 000010
【図１０】
0005589571.tif 000011
【図１１】
0005589571.tif 000012
【図１２】
0005589571.tif 000013
【図１３】
0005589571.tif 000014
【図１４】
0005589571.tif 000015
【図１５】
0005589571.tif 000016
【図１６】
0005589571.tif 000017
【図１７】
0005589571.tif 000018
【図１８】
0005589571.tif 000019
【図１９】
0005589571.tif 000020
【図２０】
0005589571.tif 000021
【図２１】
0005589571.tif 000022
【図２２】
0005589571.tif 000023
【図２３】
0005589571.tif 000024
【図２４】
0005589571.tif 000025